【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
第１及び第２の発光部を有する光源手段と、前記第１及び第２の発光部から出射した第１及び第２の光束を隣接する第１及び第２の偏向面により偏向し、被走査面を主走査方向に走査する偏向手段と、該偏向手段により偏向された前記第１及び第２の光束を前記被走査面に導く結像光学系と、を備える光走査装置であって、
前記第１の偏向面により偏向される前記第１及び第２の光束の書き出しタイミングの差と、前記第２の偏向面により偏向される前記第１及び第２の光束の書き出しタイミングの差と、が異なるように前記光源手段を制御する制御手段を備えることを特徴とする光走査装置。
【請求項２】
前記制御手段は、前記第１及び第２の偏向面の夫々により偏向される前記第１及び第２の光束の書き出しタイミングの夫々が異なるように前記光源手段を制御することを特徴とする請求項１に記載の光走査装置。
【請求項３】
前記制御手段は、前記第１及び第２の偏向面の夫々における前記第１及び第２の光束の入射位置での、副走査方向に垂直な断面内における傾きに応じて前記光源手段を制御することを特徴とする請求項１または２に記載の光走査装置。
【請求項４】
前記第１及び第２の偏向面により偏向される前記第１及び第２の光束の少なくとも一方を検知して、前記第１及び第２の偏向面の夫々に対する同期信号を生成する検知手段を備えることを特徴とする請求項１乃至３のいずれか１項に記載の光走査装置。
【請求項５】
前記制御手段は、前記第１及び第２の偏向面の夫々に対する前記第１及び第２の光束の書き出しタイミングと、前記第１及び第２の偏向面の夫々に対する前記同期信号と、に基づいて前記光源手段を制御することを特徴とする請求項４に記載の光走査装置。
【請求項６】
前記第１及び第２の偏向面の夫々における前記第１及び第２の光束の入射位置同士の副走査方向の間隔をＴｓ、前記第１及び第２の偏向面の夫々の副走査方向の幅をＴａ、とするとき、
０．０３＜Ｔｓ／Ｔａ＜０．７０
なる条件を満足することを特徴とする請求項１乃至５のいずれか１項に記載の光走査装置。
【請求項７】
前記光源手段は、前記第１及び第２の発光部を含む複数の発光部を有することを特徴とする請求項１乃至６のいずれか１項に記載の光走査装置。
【請求項８】
前記制御手段は、前記第１及び第２の光束の書き出しタイミングに基づいて他の発光部からの光束の書き出しタイミングを決定することを特徴とする請求項７に記載の光走査装置。
【請求項９】
前記第１及び第２の発光部は、前記複数の発光部の中で副走査方向に最も離れていることを特徴とする請求項７または８に記載の光走査装置。
【請求項１０】
副走査方向において、前記第１の発光部と前記第２の発光部との間に他の１つの発光部が配置されていることを特徴とする請求項７または８に記載の光走査装置。
【請求項１１】
前記第２の光束は、前記複数の発光部から出射する複数の光束のうち書き出しタイミングが最も遅い光束であり、前記第１及び第２の偏向面により偏向される前記第２の光束を検知して、前記第１及び第２の偏向面の夫々に対する同期信号を生成する検知手段を備えることを特徴とする請求項７乃至１０のいずれか１項に記載の光走査装置。
【請求項１２】
副走査方向に垂直な断面内において、前記第１及び第２の偏向面の夫々の、副走査方向に０．１ｍｍ離間した位置同士における傾きの差が０．０５分以上であることを特徴とする請求項１乃至１１のいずれか１項に記載の光走査装置。
【請求項１３】
前記第１及び第２の偏向面の夫々に対して予め取得される書き出しタイミングのデータ数は、前記傾きの差に応じて設定されることを特徴とする請求項１２に記載の光走査装置。
【請求項１４】
請求項１乃至１３のいずれか１項に記載の光走査装置と、該光走査装置により前記被走査面に形成された静電潜像をトナー像として現像する現像器と、現像された前記トナー像を被転写材に転写する転写器と、転写された前記トナー像を前記被転写材に定着させる定着器と、を有することを特徴とする画像形成装置。
【請求項１５】
請求項１乃至１３のいずれか１項に記載の光走査装置と、外部機器から出力されたコードデータを画像信号に変換して前記光走査装置に入力するプリンタコントローラと、を有することを特徴とする画像形成装置。
【手続補正２】
【補正対象書類名】明細書
【補正対象項目名】０００８
【補正方法】変更
【補正の内容】
【０００８】
上記目的を達成するために、本発明に係る光走査装置は、第１及び第２の発光部を有する光源手段と、前記第１及び第２の発光部から出射した第１及び第２の光束を隣接する第１及び第２の偏向面により偏向し、被走査面を主走査方向に走査する偏向手段と、該偏向手段により偏向された前記第１及び第２の光束を前記被走査面に導く結像光学系と、を備える光走査装置であって、前記第１の偏向面により偏向される前記第１及び第２の光束の書き出しタイミングの差と、前記第２の偏向面により偏向される前記第１及び第２の光束の書き出しタイミングの差と、が異なるように前記光源手段を制御する制御手段を備えることを特徴とする。
【手続補正３】
【補正対象書類名】明細書
【補正対象項目名】００５６
【補正方法】変更
【補正の内容】
【００５６】
４）光源手段の各発光部の書き出しタイミング（光走査の開始タイミング）
ここで、光源手段の各発光部の書き出しタイミングに関して、図１（ｃ）にＢＤ信号と走査開始タイミングの関係を示す。本実施形態では、光源手段１の発光部１乃至１６の内、偏向面の蹴られによる光量低下の無い発光部１６からの光束で、ＢＤ検知を行い、各発光部の書き出しタイミング（書き出し位置）を決定している。これは、図２に示すように、発光部１６からの光束（書き出しタイミングが最も遅い光束）は偏向面２１１で蹴られない一方、発光部１からの光束は偏向面２１１で蹴られることがあるためである。図中「ＢＤ信号」は、ＢＤセンサーに発光部１６からの光束が入射したときに発生する信号（ＢＤ信号）を示す。
【手続補正４】
【補正対象書類名】明細書
【補正対象項目名】００５９
【補正方法】変更
【補正の内容】
【００５９】
以下ポリゴン面３、４、５においても、光源手段１の発光部１６からの光束がＢＤスリットを横切ってから、所定時間後に各発光部からの光束が画像を書き出すようにし、結果として偏向面ごとに異なる書き出しタイミングとしている（図１（ｃ））。
【手続補正５】
【補正対象書類名】明細書
【補正対象項目名】００６３
【補正方法】変更
【補正の内容】
【００６３】
（偏向面ごとの書き出しタイミングの変更）
次に、偏向面ごとに各ビームの書き出しタイミングｔ１−１〜ｔ１６−５を変える理由について、図４および図５を用いて説明する。図４（ａ）は偏向反射面とマルチビームの模式図である。同図において、発光部１からの光束（ビーム１）の主光線は、副走査方向の高さがＡ−Ａを結ぶ直線上にあり、発光部１６からの光束（ビーム１６）はＢ−Ｂを結ぶ直線上にあることを示している。ここで、図１（ｂ）に示すように、ビーム１とビーム１６の副走査方向の距離は０．２６９ｍｍである。図４（ｂ）は、副走査方向に垂直な断面であるＡ−Ａ断面、およびＢ−Ｂ断面における偏向面の高さ（面精度）を示す。
【手続補正６】
【補正対象書類名】明細書
【補正対象項目名】００６４
【補正方法】変更
【補正の内容】
【００６４】
同図において、ビーム１の主光線が反射される点６０１と、ビーム１６が反射される点６０２では、主走査方向の傾き（副走査方向に垂直な断面内における傾き）が異なっている。高精度に加工されたポリゴンミラーでは副走査方向に０．１ｍｍ離れた位置における傾き差は０．０５分以下のため無視できる。しかし、本実施形態のポリゴンミラーでは、副走査方向に０．１ｍｍ以上離間すると傾き差が０．０５分以上(具体的には０．０８分)あるので、傾き誤差の影響が無視できなくなる。